(57)【要約】【課題】本技術は、端子付き電線の端子を一時的に保護し、かつ、容易に取り外すことができる端子の保護部材及び保護部材付き配線部材に関する。【解決手段】端子の保護部材は、本体部１と、スライド部２とを備える。スライド部２は、本体部１に対してスライド可能に形成される。本体部１には、キャビティ１１と交差し、かつ、貫通する第１開口が形成される。スライド部２には、キャビティ１１と連通可能な第２開口が形成される。スライド部２は、第２開口をキャビティ１１と連通させた状態で、抜け止め部が端子４ｂを抜け止めする第１位置と、抜け止め部が端子４ｂの抜け止めを解除する第２位置との間で移動可能に嵌め込まれる。【選択図】図７
2016127014.tif 000002
【特許請求の範囲】
【請求項１】
電線の端部に接続された端子の保護部材であり、
前記端子が挿入されるキャビティを備える本体部と、
前記本体部に対してスライド可能に形成されるスライド部とを備え、
前記本体部には、前記キャビティと交差し、かつ、貫通する第１開口が形成され、
前記スライド部は、前記本体部における前記第１開口に嵌め込まれ、かつ、前記第１開口の軸方向にスライド可能であり、
前記スライド部には、前記キャビティと連通可能な第２開口が形成され、
前記第２開口の内壁面において、抜け止め部が形成され、
前記スライド部は、前記第２開口を前記キャビティと連通させた状態で、前記抜け止め部が前記端子を抜け止めする第１位置と、前記抜け止め部が前記端子の前記抜け止めを解除する第２位置との間で移動可能に嵌め込まれる、
端子の保護部材。
【請求項２】
前記抜け止め部は、前記内壁面に形成された突起であり、
前記スライド部は、前記突起が前記端子に引っかかる前記第１位置と、前記突起の前記端子に対する引っかかりが解除される前記第２位置との間で移動可能に嵌め込まれる、
請求項１に記載の端子の保護部材。
【請求項３】
前記キャビティの延在方向及び前記端子の幅方向の両方に直交する前記端子の厚み方向に沿って前記スライド部がスライド移動可能に構成されている、
請求項１又は請求項２に記載の端子の保護部材。
【請求項４】
前記端子が前記抜け止め部によって保持された状態、及び、前記端子の保持が解除された状態のいずれか一方の状態において、
前記本体部の前記第１開口が形成される第１面と前記スライド部の前記第１開口の前記軸方向と交差する上面とが同一平面上に位置し、かつ、前記本体部の前記第１面の反対側の面である第２面と前記スライド部の前記上面の反対側の面である下面とが同一平面上に位置する、
請求項１から請求項３のいずれか１項に記載の端子の保護部材。
【請求項５】
前記端子が前記抜け止め部によって保持された状態、及び、前記端子の保持が解除された状態の双方の状態において、
前記スライド部の前記第１開口の前記軸方向と交差する上面が前記本体部の前記第１開口が形成される第１面に対して突出して位置する、又は、前記スライド部の前記上面の反対側の面である下面が前記本体部の前記第１面の反対側の面である第２面に対して突出して位置する、
請求項１から請求項３のいずれか１項に記載の端子の保護部材。
【請求項６】
前記本体部が、前記第１面に対して突出する前記スライド部の前記上面の一部、又は、前記第２面に対して突出する前記スライド部の前記下面の一部、又は、前記上面の一部及び前記下面の一部の両方を覆うように設けられたカバー部を備える、
請求項４又は請求項５に記載の端子の保護部材。
【請求項７】
前記キャビティの延在方向及び前記端子の厚み方向の両方に直交する前記端子の幅方向に沿って前記スライド部がスライド移動可能に構成されている、
請求項１から請求項３のいずれか１項に記載の端子の保護部材。
【請求項８】
前記端子が前記抜け止め部によって保持された状態、及び、前記端子の保持が解除された状態のいずれか一方の状態において、
前記本体部の前記第１開口が形成される第３面と前記スライド部のうち前記第１開口の前記軸方向と交差する第１側面とが同一平面上に位置し、かつ、前記本体部の前記第３面の反対側の面である第４面と前記スライド部のうち前記第１側面の反対側の面である第２側面とが同一平面上に位置する、
請求項１又は請求項２又は請求項７に記載の端子の保護部材。
【請求項９】
前記端子が前記抜け止め部によって保持された状態、及び、前記端子の保持が解除された状態の双方の状態において、
前記スライド部のうち前記第１開口の前記軸方向と交差する第１側面が前記本体部の前記第１開口が形成される第３面に対して突出して位置する、又は、前記スライド部のうち前記第１側面の反対側の面である第２側面が前記本体部の前記第３面の反対側の面である第４面に対して突出して位置する、
請求項１又は請求項２又は請求項７に記載の端子の保護部材。
【請求項１０】
前記本体部が、前記第３面に対して突出する前記スライド部の前記第１側面の一部、又は、前記第４面に対して突出する前記スライド部の前記第２側面の一部、又は、前記第１側面の一部及び前記第２側面の一部の両方を覆うように設けられたカバー部を備える、
請求項８又は請求項９に記載の端子の保護部材。
【請求項１１】
電線の端部に端子が接続された端子付き電線と、
前記端子が挿入されるキャビティを備える本体部と、
前記本体部に対してスライド可能に形成されるスライド部とを備え、
前記本体部には、前記キャビティと交差し、かつ、貫通する第１開口が形成され、
前記スライド部は、前記本体部における前記第１開口に嵌め込まれ、かつ、前記第１開口の軸方向にスライド可能であり、
前記スライド部には、前記キャビティと連通可能な第２開口が形成され、
前記第２開口の内壁面において、抜け止め部が形成され、
前記スライド部は、前記第２開口を前記キャビティと連通させた状態で、前記抜け止め部が前記端子を抜け止めする第１位置と、前記抜け止め部が前記端子の前記抜け止めを解除する第２位置との間で移動可能に嵌め込まれる、
保護部材付き配線部材。
【発明の詳細な説明】
【技術分野】
【０００１】
本技術は、端子の保護部材及び保護部材付き配線部材に関するものである。
【背景技術】
【０００２】
自動車などの車両用のワイヤーハーネスは、製造工程の効率化の観点から、搭載される車両によっては不要となる電線又は部品などを含む態様で車両へ搭載される場合がある。
【０００３】
このような搭載の態様は、車両におけるワイヤーハーネスの重量が不必要に増加してしまうため望ましくない。そこで、ワイヤーハーネスが搭載される車両によっては不要となる電線又は部品などを後から別途搭載する方法が提案されている。すなわち、ワイヤーハーネスが搭載される車両間で共通して必要となるワイヤーハーネス（共通ワイヤーハーネス）が車両に搭載された状態で、車両によって要不要が異なるワイヤーハーネス（オプションワイヤーハーネス）をさらに搭載する方法である。
【０００４】
上記の搭載方法では、オプションワイヤーハーネスが車両に搭載されるまでの間、オプションワイヤーハーネスにおける端子付き電線の端子が露出した状態となる。よって、当該端子が外力によって損傷するなどの要因で、オプションワイヤーハーネスが車両に搭載される際に、端子がコネクタなどに適切に挿入できなくなる場合がある。
【０００５】
このような事態を防止する手段として、端子がコネクタなどに挿入されるまでの間、当該端子を一時的に保護する端子の保持部品及びカバーが提案されている（例えば、特許文献１を参照）。
【先行技術文献】
【特許文献】
【０００６】
【特許文献１】特開２０１４−１３９９０７号公報
【発明の概要】
【発明が解決しようとする課題】
【０００７】
しかし、例えば、特許文献１に示されるような端子の保持部品及びカバーが用いられる場合、これらを端子付き電線の端子から取り外すためには、カバーと端子の保持部品とを固定するためのバンドを外し、さらにカバーを外した後に端子の保持部品を外すなどの作業が必要であった。よって、より容易に端子から取り外すことができる端子の保護部材が求められる。
【０００８】
本技術は、上記のような問題を解決するものであり、端子付き電線の端子を一時的に保護し、かつ、容易に取り外すことができる端子の保護部材及び保護部材付き配線部材に関するものである。
【課題を解決するための手段】
【０００９】
本技術の第１態様に関する端子の保護部材は、電線の端部に接続された端子の保護部材であり、前記端子が挿入されるキャビティを備える本体部と、前記本体部に対してスライド可能に形成されるスライド部とを備え、前記本体部には、前記キャビティと交差し、かつ、貫通する第１開口が形成され、前記スライド部は、前記本体部における前記第１開口に嵌め込まれ、かつ、前記第１開口の軸方向にスライド可能であり、前記スライド部には、前記キャビティと連通可能な第２開口が形成され、前記第２開口の内壁面において、抜け止め部が形成され、前記スライド部は、前記第２開口を前記キャビティと連通させた状態で、前記抜け止め部が前記端子を抜け止めする第１位置と、前記抜け止め部が前記端子の前記抜け止めを解除する第２位置との間で移動可能に嵌め込まれる。
【００１０】
本技術の第２態様に関する端子の保護部材は、第１態様に関する端子の保護部材であって、前記抜け止め部は、前記内壁面に形成された突起であり、前記スライド部は、前記突起が前記端子に引っかかる前記第１位置と、前記突起の前記端子に対する引っかかりが解除される前記第２位置との間で移動可能に嵌め込まれる。
【００１１】
本技術の第３態様に係る端子の保護部材は、第１態様又は第２態様に関する端子の保護部材であって、前記キャビティの延在方向及び前記端子の幅方向の両方に直交する前記端子の厚み方向に沿って前記スライド部がスライド移動可能に構成されている。
【００１２】
本技術の第４態様に関する端子の保護部材は、第１態様から第３態様のいずれか１つに関する端子の保護部材であって、前記端子が前記抜け止め部によって保持された状態、及び、前記端子の保持が解除された状態のいずれか一方の状態において、前記本体部の前記第１開口が形成される第１面と前記スライド部の前記第１開口の前記軸方向と交差する上面とが同一平面上に位置し、かつ、前記本体部の前記第１面の反対側の面である第２面と前記スライド部の前記上面の反対側の面である下面とが同一平面上に位置する。
【００１３】
本技術の第５態様に関する端子の保護部材は、第１態様から第３態様のいずれか１つに関する端子の保護部材であって、前記端子が前記抜け止め部によって保持された状態、及び、前記端子の保持が解除された状態の双方の状態において、前記スライド部の前記第１開口の前記軸方向と交差する上面が前記本体部の前記第１開口が形成される第１面に対して突出して位置する、又は、前記スライド部の前記上面の反対側の面である下面が前記本体部の前記第１面の反対側の面である第２面に対して突出して位置する。
【００１４】
本技術の第６態様に係る端子の保護部材は、第４態様又は第５態様に関する端子の保護部材であって、前記本体部が、前記第１面に対して突出する前記スライド部の前記上面の一部、又は、前記第２面に対して突出する前記スライド部の前記下面の一部、又は、前記上面の一部及び前記下面の一部の両方を覆うように設けられたカバー部を備える。
【００１５】
本技術の第７態様に係る端子の保護部材は、第１態様から第３態様のいずれか１つに関する端子の保護部材であって、前記キャビティの延在方向及び前記端子の厚み方向の両方に直交する前記端子の幅方向に沿って前記スライド部がスライド移動可能に構成されている。
【００１６】
本技術の第８態様に係る端子の保護部材は、第１態様又は第２態様又は第７態様に関する端子の保護部材であって、前記端子が前記抜け止め部によって保持された状態、及び、前記端子の保持が解除された状態のいずれか一方の状態において、前記本体部の前記第１開口が形成される第３面と前記スライド部のうち前記第１開口の前記軸方向と交差する第１側面とが同一平面上に位置し、かつ、前記本体部の前記第３面の反対側の面である第４面と前記スライド部のうち前記第１側面の反対側の面である第２側面とが同一平面上に位置する。
【００１７】
本技術の第９態様に係る端子の保護部材は、第１態様又は第２態様又は第７態様に関する端子の保護部材であって、前記端子が前記抜け止め部によって保持された状態、及び、前記端子の保持が解除された状態の双方の状態において、前記スライド部のうち前記第１開口の前記軸方向と交差する第１側面が前記本体部の前記第１開口が形成される第３面に対して突出して位置する、又は、前記スライド部のうち前記第１側面の反対側の面である第２側面が前記本体部の前記第３面の反対側の面である第４面に対して突出して位置する。
【００１８】
本技術の第１０態様に係る端子の保護部材は、第８態様又は第９態様に関する端子の保護部材であって、前記本体部が、前記第３面に対して突出する前記スライド部の前記第１側面の一部、又は、前記第４面に対して突出する前記スライド部の前記第２側面の一部、又は、前記第１側面の一部及び前記第２側面の一部の両方を覆うように設けられたカバー部を備える。
【００１９】
本技術の第１１態様に関する保護部材付き配線部材は、電線の端部に端子が接続された端子付き電線と、前記端子が挿入されるキャビティを備える本体部と、前記本体部に対してスライド可能に形成されるスライド部とを備え、前記本体部には、前記キャビティと交差し、かつ、貫通する第１開口が形成され、前記スライド部は、前記本体部における前記第１開口に嵌め込まれ、かつ、前記第１開口の軸方向にスライド可能であり、前記スライド部には、前記キャビティと連通可能な第２開口が形成され、前記第２開口の内壁面において、抜け止め部が形成され、前記スライド部は、前記第２開口を前記キャビティと連通させた状態で、前記抜け止め部が前記端子を抜け止めする第１位置と、前記抜け止め部が前記端子の前記抜け止めを解除する第２位置との間で移動可能に嵌め込まれる。
【発明の効果】
【００２０】
上記の端子の保護部材及び保護部材付き配線部材によれば、端子付き電線の端子を適切に保護することができる。また、貫通する第１開口の軸方向に外部からスライド部を押してスライド部をスライドさせることにより、容易に端子付き電線の端子から端子の保護部材を取り外すことができる。
【００２１】
特に、第２態様に関する端子の保護部材によれば、貫通する第１開口の軸方向に外部からスライド部を押してスライド部を移動させるだけで、端子の保持及びその解除が容易に実現できる。
【００２２】
特に、第３態様に関する端子の保護部材によれば、端子の厚み方向に沿ってスライド部がスライド移動可能に構成されている。この場合、抜け止め部が上方若しくは下方から端子に近づく方向に移動するため、抜け止め部が端子に引っ掛かる状態を作り易い。
【００２３】
特に、第４態様に関する端子の保護部材によれば、本体部の第１面とスライド部の上面とが同一平面上に位置し、かつ、本体部の下面とスライド部の下面とが同一平面上に位置する状態では、端子付き電線の端子の保持及び当該保持の解除の、外力による意図しない切り替えが生じにくくなる。
【００２４】
特に、第５態様に関する端子の保護部材によれば、ロック状態及びロック解除状態のいずれの状態においても、スライド部の上面が本体部の第１面に対して突出して位置する、又は、スライド部の下面が本体部の第２面に対して突出して位置するため、貫通する第１開口の軸方向に外部からスライド部を押してスライド部をスライドさせる操作がしやすい。
【００２５】
特に、第６態様に関する端子の保護部材によれば、本体部に設けられたカバー部により、想定しない外力がスライド部に加わることを抑制できる。即ち、不意に端子のロック状態が解除されること若しくはロックされることを抑制できる。
【００２６】
特に、第７態様に関する端子の保護部材によれば、端子の幅方向に沿ってスライド部がスライド移動可能に構成されている。この場合、本体部の作業台等に対する設置面が、スライド部をスライドさせた際に変わらない。このため、本体部の作業台等に対する設置面のがたつきを抑制できる。
【００２７】
特に、第８態様に関する端子の保護部材によれば、本体部の第３面とスライド部の第１側面とが同一平面上に位置し、かつ、本体部の第４面とスライド部の第２側面とが同一平面上に位置する状態では、端子付き電線の端子の保持及び当該保持の解除の、外力による意図しない切り替えが生じにくくなる。
【００２８】
特に、第９態様に関する端子の保護部材によれば、ロック状態及びロック解除状態のいずれの状態においても、スライド部の第１側面が本体部の第３面に対して突出して位置する、又は、スライド部の第２側面が本体部の第４面に対して突出して位置するため、貫通する第１開口の軸方向に外部からスライド部を押してスライド部をスライドさせる操作がしやすい。
【００２９】
特に、第１０態様に関する端子の保護部材によれば、本体部に設けられたカバー部により、想定しない外力がスライド部に加わることを抑制できる。即ち、不意に端子のロック状態が解除されること若しくはロックされることを抑制できる。
【００３０】
本技術の目的、特徴、局面及び利点は、以下の詳細な説明と添付図面とによって、より明白となる。
【図面の簡単な説明】
【００３１】
【図１】端子付き電線の構造を示す図である。
【図２】第１実施形態に関する端子の保護部材の構造を示す斜視図であり、スライド部の上面が本体部の上面と同一平面上に位置している状態を示す図である。
【図３】第１実施形態に関する端子の保護部材の構造を示す斜視図であり、スライド部の上面が本体部の上面よりも下方に位置している状態を示す図である。
【図４】本体部の主面側から見た、スライド部が本体部から取り外された状態を示す図である。
【図５】本体部の側面側から見た、スライド部が本体部から取り外された状態を示す図である。
【図６】第１実施形態に関する端子の保護部材の動作を示す図であり、ロック解除状態の端子の保護部材を示す図である。
【図７】第１実施形態に関する端子の保護部材の動作を示す図であり、ロック解除状態の端子の保護部材のキャビティ内に端子付き電線が挿入された状態を示す図である。
【図８】第１実施形態に関する端子の保護部材の動作を示す図であり、ロック状態の端子の保護部材を示す図である。
【図９】第１実施形態の変形例に関する端子の保護部材の動作を示す図であり、ロック解除状態の端子の保護部材のキャビティ内に端子付き電線が挿入された状態を示す図である。
【図１０】第１実施形態の変形例に関する端子の保護部材の動作を示す図であり、ロック状態の端子の保護部材を示す図である。
【図１１】第１実施形態の変形例に関する端子の保護部材の動作を示す図であり、スライド部が本体部に対して下方にスライドしていない状態を示す図である。
【図１２】第１実施形態の変形例に関する端子の保護部材の動作を示す図であり、スライド部が本体部に対して下方にスライドしている状態を示す図である。
【図１３】第２実施形態に関する端子の保護部材の動作を示す図であり、スライド部が本体部に対して下方にスライドしている状態を示す図である。
【図１４】第２実施形態に関する端子の保護部材の動作を示す図であり、スライド部が本体部に対して下方にスライドしている状態を示す図である。
【図１５】第３実施形態に関する端子の保護部材の構造を示す概略斜視図である。
【図１６】第３実施形態に関する端子の保護部材の動作を示す図であり、スライド部が第１位置での状態を示す図である。
【図１７】第３実施形態に関する端子の保護部材の動作を示す図であり、スライド部が第２位置での状態を示す図である。
【図１８】第３実施形態の変形例に関する端子の保護部材の動作を示す図であり、スライド部が第１位置での状態を示す図である。
【発明を実施するための形態】
【００３２】
以下、添付の図面を参照しながら実施形態について説明する。なお、図面は模式的に示されるものであり、異なる図面にそれぞれ示されている画像のサイズ及び位置の相互関係は、必ずしも正確に記載されるものではなく、適宜変更され得る。また、以下の説明では、同様の構成要素には同じ符号を付して図示し、それらの名称及び機能も同様のものとする。よって、それらについての詳細な説明を省略する場合がある。
【００３３】
また、以下の説明では、「上」、「下」、「側」、「底」、「表」又は「裏」などの特定の位置及び方向を意味する用語が用いられる場合があるが、これらの用語は、実施形態の内容を理解することを容易にするため便宜上用いられているものであり、実際に実施される際の方向とは関係しない。
【００３４】
＜第１実施形態＞
＜構成＞
以下、本実施形態に関する端子の保護部材について説明する。説明の便宜上、まず、保護対象である端子付き電線について説明する。
【００３５】
図１は、端子付き電線の構造を示す図である。図１に示されるように、端子付き電線４は、電線４ａと、電線４ａの端部に接続された端子４ｂとを備える。
【００３６】
電線４ａは、銅又はアルミニウムなどの金属を主成分とする線材である芯線と、芯線の周囲を覆う絶縁被覆とを備える。絶縁被覆は、例えば、ポリエチレン、塩化ビニル又はポリアミド系ナイロンなどを主成分とする合成樹脂の部材である。
【００３７】
端子４ｂは、電線４ａの端部に接続される。端子４ｂは、例えば、銅又はスズなどの金属を主成分とする金属の部材である。端子４ｂと電線４ａとの接続方法としては、例えば、圧着又は溶接などがある。なお、端子４ｂは、凹部４１を有する。本実施形態においては、４本の端子４ｂが端子の保護部材に収容されているが、少なくとも１つの端子４ｂが端子の保護部材に収容されていればよい。
【００３８】
図２及び図３は、本実施形態に関する端子の保護部材の構造を示す斜視図である。
【００３９】
図２及び図３に示されるように、本実施形態に関する端子の保護部材は、端子の保護部材の本体部１と、端子の保護部材の本体部１に対してスライド可能に形成されるスライド部２とを備える。図２では、スライド部２の上面が本体部１の上面と同一平面上に位置している。図３では、スライド部２の上面が本体部１の上面よりも下方に位置し、陥没している。
【００４０】
本体部１は、合成樹脂などからなる。本体部１には、主面から反対側の面に亘って貫通するキャビティ１１が形成される。図２及び図３では、簡単のためキャビティ１１の本体部１内部の構造については図示が省略されている。キャビティ１１は、端子４ｂを収容できる程度の開口幅を有する。図２及び図３に示される端子の保護部材では、キャビティ１１は、主面において４つ配列されるが、このような数及び配置に限られるものではない。また、キャビティ１１は、主面にのみ開口を有する場合であってもよい。
【００４１】
また、本体部１には、キャビティ１１の深さ方向とは交差する方向において貫通する、スライド部２が嵌め込まれる開口であるスライド開口１２が形成される。スライド部２は、スライド開口１２の軸方向にスライド可能である。スライド開口１２の、本体部１の主面に沿う方向の開口幅は、当該幅方向の少なくとも１つのキャビティ１１の、本体部１の主面と沿う方向における幅よりも大きい。スライド開口１２とキャビティ１１とは、互いに交差する。図２及び図３に示される端子の保護部材では、スライド開口１２は本体部１の上面から下面に亘って貫通して形成されている。
【００４２】
スライド開口１２は、本体部１の上面における開口部には凹部１２ａが形成され、また、本体部１の下面における開口部には凹部１２ｂが形成される。凹部１２ａ及び凹部１２ｂは、ともに形成されなくてもよいが、図２及び図３においては、本体部１の上面及び下面の双方において形成されている。凹部１２ａ及び凹部１２ｂが形成された箇所は、他の部分よりもスライド開口１２の開口幅が大きい。
【００４３】
図４及び図５は、スライド部２が本体部１から取り外された状態を示す図である。図４は、スライド部２を、スライド部２が本体部１に嵌め込まれた状態における本体部１の主面側から見た図であり、図５は、スライド部２を、スライド部２が本体部１に嵌め込まれた状態における本体部１の主面に対する側面側から見た図である。
【００４４】
スライド部２は、合成樹脂などからなる。そして、スライド部２には、スライド部２が本体部１のスライド開口１２に嵌め込まれた状態における、本体部１の主面側からその反対側に亘って貫通する開口であるロック開口２１が形成される。ロック開口２１は、スライド部２が本体部１のスライド開口１２に嵌め込まれた状態において、キャビティ１１と繋がって１つの開口を形成する、すなわち、連通状態となることが可能である。また、スライド部２の上面には凸部２２ａが形成され、また、スライド部２の下面には凸部２２ｂが形成される。凸部２２ａ及び凸部２２ｂは、ともに形成されなくてもよいが、図４及び図５においては、スライド部２の上下面において本体部１の主面側及びその反対側に形成されている。凸部２２ａ及び凸部２２ｂは、上述のスライド開口１２における凹部１２ａ及び凹部１２ｂにそれぞれ対応して嵌め込まれ、スライド部２がスライドする際のストッパーとして機能する構造である。凸部２２ａ及び凸部２２ｂは、スライド部２に対して後付けされる部材であってもよい。また、凸部２２ａ及び凸部２２ｂは、凹部１２ａ及び凹部１２ｂとともに、スライド部２の上下面における本体部１の主面に対する側面側に形成されていてもよい。
【００４５】
ロック開口２１は、図４及び図５におけるスライド方向としての上下方向の幅が、端子の保護部材内に収容された状態の端子４ｂの上下方向の幅よりも大きい。スライド部２のスライド方向における動きの幅は、ロック開口２１の上下方向の幅に対応する。すなわち、ロック開口２１の上下方向の幅と、収容される端子４ｂの上下方向の幅との差の分だけ、スライド部２が上下方向に移動する（スライドする）ことができる。
【００４６】
ロック開口２１は、図４及び図５におけるスライド方向とは交差する方向である左右方向の幅が、収容される端子４ｂの左右方向の幅よりも大きい。本実施形態においては、４本の端子付き電線４が横方向に配列されて収容される例が記載されているが、この場合には、ロック開口２１の左右方向の幅は、端子４ｂの４つ分の左右方向の幅よりも大きい。
【００４７】
＜作用＞
次に、図６から図８を参照しつつ、本実施形態に関する端子の保護部材の作用を説明する。図６から図８は、本実施形態に関する端子の保護部材の動作を示す図である。
【００４８】
まず、図６に示されるように、凸部２２ｂが凹部１２ｂに嵌め込まれた状態とすることにより、スライド部２を本体部１に対して上方向にスライドさせた状態とする。この状態をロック解除状態ともいう。ここで、ロック開口２１の上壁には、突起２３が形成される。突起２３は、収容された端子４ｂにおける例えば凹部４１に嵌まり、引っかかる構造である。図６に示される突起２３は、端子４ｂの挿入方向に延び出て形成され、かつ、スライド部２のスライド方向の下方向に垂れ下がって形成される。
【００４９】
次に、図７に示されるように、スライド部２の凸部２２ｂが本体部１の凹部１２ｂに嵌め込まれた状態で、端子の保護部材のキャビティ１１内に端子付き電線４が挿入される。キャビティ１１内に挿入された端子付き電線４は、ロック開口２１の下壁に誘導されてキャビティ１１奥の特定の位置に配置される。図７に示される場合では、端子付き電線４の端子４ｂの端部が、スライド部２の下壁に誘導された先の開口幅が狭くなったキャビティ１１内に挿入された状態で配置される。このとき、端子４ｂにおける凹部４１は、スライド部２のロック開口２１内に配置される。
【００５０】
次に、図８に示されるように、凸部２２ａが凹部１２ａに嵌め込まれた状態とすることにより、スライド部２を本体部１に対して下方向にスライドさせた状態とする。当該状態とするためには、スライド部２の上面を下方向に押し下げればよい。このとき、ロック開口２１の上壁に形成された突起２３は、端子４ｂにおける凹部４１内に挿入される。この状態をロック状態ともいう。
【００５１】
この状態では、端子付き電線４に電線４ａ側へ引っ張る外力が働いた場合であっても、突起２３が凹部４１に引っかかることで抜け止めがなされ、端子付き電線４は端子の保護部材内に保持される。よって、端子付き電線４の端子４ｂは、端子の保護部材内において適切に保護される。
【００５２】
また、端子付き電線４の端子４ｂから端子の保護部材を取り外す場合には、図７に示された状態に戻すため、スライド部２の下面を上方向に押し上げる。そうすることによって、凸部２２ｂが凹部１２ｂに嵌め込まれた状態となり、スライド部２が本体部１に対して上方向にスライドした状態となる。このとき、ロック開口２１の上壁に形成された突起２３は、端子４ｂにおける凹部４１内から抜き出される。
【００５３】
この状態では、突起２３による抜け止めが解除され、端子付き電線４に電線４ａ側へ引っ張る外力が働くと、端子付き電線４は端子の保護部材外へ取り出される。よって、端子付き電線４の端子４ｂから、端子の保護部材を取り外すことができる。
【００５４】
＜変形例＞
上記のスライド部２は、ロック解除状態で、本体部１のスライド開口１２が形成される上面とスライド部２のスライド方向と交差する上面とが同一平面上に位置し、かつ、本体部１の下面とスライド部２の下面とが同一平面上に位置する。
【００５５】
しかし、逆に、ロック状態、すなわち図８の状態で、本体部１のスライド開口１２が形成される上面とスライド部２のスライド方向と交差する上面とが同一平面上に位置し、かつ、本体部１の下面とスライド部２の下面とが同一平面上に位置する場合であってもよい。
【００５６】
一方で、ロック解除状態及びロック状態のいずれの状態においても、スライド部の上面及び下面のいずれか一方は本体部と同一平面上に位置しない構造、すなわち、ロック解除状態及びロック状態のいずれの状態においても、スライド部のスライド方向と交差する上面が本体部のスライド開口１２が形成される上面に対して突出して位置する、又は、スライド部の下面が本体部の下面に対して突出して位置する構造であってもよい。
【００５７】
図９及び図１０は、本変形例に関する端子の保護部材の動作を示す図である。図９及び図１０に示される本体部１ａには、本体部１における凹部１２ａとは異なる深さを有する凹部１２ｃが形成される。また、図９及び図１０に示されるスライド部２ａは、スライド部２における場合よりも、ロック開口２１の上方部分の上下方向の厚さが厚く形成される。
【００５８】
まず、図９に示されるように、ロック解除状態においては、凸部２２ｂが凹部１２ｂに嵌め込まれた状態とすることにより、スライド部２ａを本体部１ａに対して上方向にスライドさせた状態とする。このとき、スライド部２ａの下面と本体部１ａの下面とが同一平面上に位置している一方で、スライド部２ａの上面は本体部１ａの上面よりも突出した位置、すなわち高い位置にある。
【００５９】
また、図１０に示されるように、ロック状態においては、凸部２２ａが凹部１２ｃに嵌め込まれた状態とすることにより、スライド部２ａを本体部１ａに対して下方向にスライドさせた状態とする。このとき、スライド部２ａの上面と本体部１ａの上面とが同一平面上に位置している一方で、スライド部２ａの下面は本体部１ａの下面よりも突出した位置、すなわち低い位置にある。
【００６０】
なお、図９及び図１０における場合では、凹部１２ａとは異なる深さを有する凹部１２ｃが示されているが、凹部１２ａを有する構造で、ロック解除状態及びロック状態のいずれの状態においても、スライド部の上面及び下面のいずれか一方は本体部と同一平面上に位置しない構造が実現されてもよい。すなわち、例えば、図８に示される構造において、スライド部２の上面と本体部１ａの上面とが同一平面上に位置するように、スライド部２の上下方向の厚さが厚く形成され、それに伴って凸部２２ａの上下方向の厚さが厚く形成された構造であれば、凹部１２ａを有する構造で、ロック解除状態及びロック状態のいずれの状態においても、スライド部の上面及び下面のいずれか一方は本体部と同一平面上に位置しない構造が実現される。
【００６１】
上記のスライド部２は、ロック状態及びロック解除状態それぞれの状態を、スライド開口１２とスライド部２のスライド方向に沿う面との間の摩擦力によって保持している。
【００６２】
この変形例として、スライド開口１２とスライド部２のスライド方向に沿う面とのそれぞれに、各状態で保持するための引っかかり部を設けることが考えられる。
【００６３】
図１１及び図１２は、本変形例に関する端子の保護部材の動作を示す図である。図１１及び図１２に示される本体部１ｂのスライド開口１２の側壁には凹部が形成され、さらにその凹部内に突起１３が形成される。図１１及び図１２に示される場合では、突起１３は左右の側壁においてそれぞれ２つずつ形成されている。また、図１１及び図１２に示されるスライド部２ｂのスライド方向に沿う面には、突起２４が形成される。図１１及び図１２に示される場合では、突起２４はスライド方向に沿う左右の面においてそれぞれ２つずつ形成されている。ここで、突起１３及び突起２４の少なくとも一方は、弾性変形可能である。
【００６４】
図１１に示される状態では、突起２４がそれぞれ対応する突起１３よりも上方に位置する。そして、突起２４が突起１３に引っかかることによって、スライド部２ｂが本体部１ｂに対して下方にスライドすることが抑制される。なお、スライド部２ｂに対して下方に外力が加えられる場合には、突起１３及び突起２４の少なくとも一方が弾性変形することにより、図１２に示される状態に切り替わることができる。
【００６５】
図１２に示される状態では、突起２４がそれぞれ対応する突起１３よりも下方に位置する。そして、突起２４が突起１３に引っかかることによって、スライド部２ｂが本体部１ｂに対して上方にスライドすることが抑制される。なお、スライド部２ｂに対して上方に外力が加えられる場合には、突起１３及び突起２４の少なくとも一方が弾性変形することにより、図１１に示される状態に切り替わることができる。
【００６６】
＜効果＞
以下に、本実施形態による効果を例示する。
【００６７】
本実施形態によれば、端子の保護部材が、本体部１と、スライド部２とを備える。本体部１は、端子４ｂが挿入されるキャビティ１１を備える。スライド部２は、本体部１に対してスライド可能に形成される。
【００６８】
本体部１には、キャビティ１１と交差し、かつ、貫通する第１開口としてのスライド開口１２が形成される。スライド部２は、本体部１におけるスライド開口１２に嵌め込まれ、かつ、スライド開口１２の軸方向にスライド可能である。
【００６９】
スライド部２には、キャビティ１１と連通可能な第２開口としてのロック開口２１が形成される。また、ロック開口２１の内壁面において、抜け止め部としての突起２３が形成される。
【００７０】
そして、スライド部２は、ロック開口２１をキャビティ１１と連通させた状態で、突起２３が端子４ｂを抜け止めする第１位置と、突起２３が端子４ｂの抜け止めを解除する第２位置との間で移動可能に嵌め込まれる。
【００７１】
このような構成によれば、端子付き電線４の端子４ｂを適切に保護することができる。また、端子付き電線４の端子４ｂから端子の保護部材を取り外すために、例えば、カバーと端子の保持部品とを固定するためのバンドを外し、さらにカバーを外した後に端子の保持部品を外すなどの作業、又は、端子の保護部材を取り外すための専用の治具などを用いた作業の必要がなく、貫通するスライド開口１２の軸方向に外部からスライド部２を押してスライド部２をスライドさせることにより、容易に端子付き電線４の端子４ｂから端子の保護部材を取り外すことができる。
【００７２】
また、例えば専用の治具を差し込むための空間などを確保する必要がなく、端子の保護部材の小型化が可能である。
【００７３】
なお、これらの構成以外の構成については適宜省略することができるが、本明細書に示される任意の構成を適宜追加した場合でも、上記の効果を生じさせることができる。
【００７４】
また、本実施形態によれば、抜け止め部は、内壁面に形成された突起２３である。
【００７５】
そして、スライド部２は、突起２３が端子４ｂに引っかかる第１位置と、突起２３の端子４ｂに対する引っかかりが解除される第２位置との間で移動可能に嵌め込まれる。
【００７６】
このような構成によれば、スライド部２を下方向にスライドさせた場合に、突起２３が端子４ｂに引っかかり端子４ｂが端子の保護部材内に保持され、スライド部２を上方向にスライドさせた場合に、突起２３が端子４ｂから外れて端子４ｂの保持が解除される。よって、貫通するスライド開口１２の軸方向に外部からスライド部２を押してスライド部２を移動させるだけで、端子４ｂの保持及びその解除が容易に実現できる。
【００７７】
また、本実施形態によれば、端子付き電線４の端子４ｂが突起２３によって保持された状態（すなわちロック状態）、及び、端子４ｂの保持が解除された状態（すなわちロック解除状態）のいずれか一方の状態において、本体部１のスライド開口１２が形成される第１面としての上面とスライド部２のスライド方向と交差する上面とが同一平面上に位置し、かつ、本体部１の上面の反対側の面である下面とスライド部２の上面の反対側の面である下面とが同一平面上に位置する。
【００７８】
このような構成によれば、本体部１の上面及び下面がスライド部２の上面及び下面と同一平面上に位置する状態では、端子付き電線４の端子４ｂの保持及び当該保持の解除の、外力による意図しない切り替えが生じにくくなる。よって、端子付き電線４の端子４ｂが端子の保護部材に保持された状態で移動などを行う場合であっても意図しない保持状態の切り替えが生じにくいため、端子付き電線４の端子４ｂをより確実に保護できる。
【００７９】
また、本実施形態によれば、ロック状態及びロック解除状態の双方の状態において、スライド部２ａのスライド方向と交差する上面が本体部１ａのスライド開口１２が形成される上面に対して突出して位置する、又は、スライド部２ａの下面が本体部１ａの下面に対して突出して位置する。
【００８０】
このような構成によれば、ロック状態及びロック解除状態のいずれの状態においても、スライド部２ａの上面又は下面が本体部１ａの対応する面に対して突出した位置にあるため、貫通するスライド開口１２の軸方向に外部からスライド部２ａを押してスライド部２ａをスライドさせる操作がしやすい。
【００８１】
また、本実施形態によれば、保護部材付き配線部材が、端子付き電線４と、本体部１と、スライド部２とを備える。端子付き電線４は、電線４ａの端部に端子４ｂが接続される。本体部１は、端子４ｂが挿入されるキャビティ１１を備える。スライド部２は、本体部１に対してスライド可能に形成される。
【００８２】
本体部１には、キャビティ１１と交差し、かつ、貫通するスライド開口１２が形成される。スライド部２は、本体部１におけるスライド開口１２に嵌め込まれ、かつ、スライド開口１２の軸方向にスライド可能である。
【００８３】
スライド部２には、キャビティ１１と連通可能な第２開口としてのロック開口２１が形成される。また、ロック開口２１の内壁面において、突起２３が形成される。
【００８４】
スライド部２がスライド開口１２の軸方向下向きにスライドした場合、キャビティ１１に挿入される端子付き電線４の端子４ｂが突起２３によって保持される。また、スライド部２がスライド開口１２の軸方向上向きにスライドした場合、突起２３による端子４ｂの保持が解除される。
【００８５】
このような構成によれば、端子付き電線４の端子４ｂを適切に保護することができる。また、端子付き電線４の端子４ｂから端子の保護部材を取り外すために、例えば、カバーと端子の保持部品とを固定するためのバンドを外し、さらにカバーを外した後に端子の保持部品を外すなどの作業、又は、端子の保護部材を取り外すための専用の治具などを用いた作業の必要がなく、貫通するスライド開口１２の軸方向に外部からスライド部２を押してスライド部２をスライドさせることにより、容易に端子付き電線４の端子４ｂから端子の保護部材を取り外すことができる。
【００８６】
＜第２実施形態＞
次に、図１３，１４を参照しつつ、第２実施形態に係る端子の保護部材について説明する。図１３は、本実施形態の端子の保護部材を示す断面図である。図１４は、本実施形態の端子の保護部材を示す側面図である。図１３，１４において、図１〜１２に示される構成要素と同じ構成要素には、同じ参照符号が付されている。
【００８７】
本実施形態において、端子の保護部材の端子の保護部材は、端子の保護部材の本体部１ｃと、スライド部２ｂと、を備える。スライド部２ｂは、第１実施形態と同様、キャビティ１１の延在方向及び端子４ｂの幅方向の両方に直交する端子４ｂの厚み方向に沿ってスライド移動可能に構成されている。従って、ここでは、スライド部２ｂについては、その説明を省略する。以下、本体部１ｃについて説明する。
【００８８】
本実施形態では、本体部１ｃが、第１面（ここでは、上面）に対して突出するスライド部２ｂの上面の一部、又は、第２面（ここでは、下面）に対して突出するスライド部２ｂの下面の一部、又は、スライド部の上面の一部及び下面の一部の両方を覆うように設けられたカバー部を備える。ちなみに、ここでは、図１３，１４に示されるように、本体部１ｃが、本体部１ｃの下面に対して突出するスライド部２ｂの下面の一部を覆うように設けられたカバー部１９を備える場合の事例が示されている。以下、カバー部１９の詳細について説明する。
【００８９】
図１３に示されるように、カバー部１９は、凹状に形成され、本体部１ｃの下面から下方側（本体部１ｃの上面側に対し反対側）へ突出して形成された突出部１９１を含む。カバー部１９の突出部１９１の内側には、スライド部２ｂの下面側の部分が配置される。
【００９０】
そして、突出部１９１は、スライド部２ｂの下面の一部を覆う構成とされている。ここでは、ロック開口２１に端子付き電線４が挿入される方向における、突出部１９１の寸法が、スライド部２ｂの上記方向における寸法よりも小さい構成とされている。これにより、スライド部２ｂの下面のうち突出部１９１に覆われない部分が生じる。
【００９１】
また、ここでは、カバー部１９は、２つの突出部１９１を含み、２つの突出部１９１は、スライド開口１２に端子付き電線４が挿入される方向において間隔を空けて並んで形成されている。この場合、スライド部２ｂの下面のうち２つの突出部１９１の間の部分は、カバー部１９によって覆われない。
【００９２】
第２実施形態でも、上述の第１実施形態と同様、端子付き電線４の端子４ｂを適切に保護することができる。
【００９３】
また、本実施形態では、本体部１ｃがカバー部１９を備えることで、さらに以下の利点を有する。即ち、カバー部１９によって、スライド部２ｂに外力が加わり、スライド部２ｂと本体部１ｃとのロック状態が想定しない外力によって外れてしまうこと及びロックされてしまうことを抑制できる。なお、ここでは、スライド部２ｂの下面の一部をカバー部１９が覆うため、想定されない外力がスライド部２ｂに対し下方側から加わり、スライド部２ｂがスライドしてしまうことを抑制できる。
【００９４】
また、本実施形態では、カバー部１９は、スライド部２ｂの下面の一部を覆うため、スライド部２ｂの下面のうちカバー部１９に覆われていない部分を押すことで、簡単にスライド部２ｂをスライドさせることができる。例えば、ここでは、２つの突出部分１９１の間の部分を押すことで、簡単にスライド部２ｂをスライドさせることができる。
【００９５】
即ち、本実施形態では、本体部１ｃが上記カバー部１９を備えることで、スライド部２ｂのスライド作業を阻害することなく、不意に端子４ｂのロック状態及び非ロック状態が反転することを抑制できる。
【００９６】
また、ここでは、本体部１ｃが、第１面（ここでは、上面）及び第２面（ここでは、下面）のうちの一方側（ここでは、下面側）にカバー部１９を備える。この場合、以下の利点を有する。
【００９７】
まず、本実施形態において、スライド部２ｂは、端子４ｂが抜け止め部によって保持された状態、及び、端子４ｂの保持が解除された状態の双方の状態において、スライド部２ｂの第１開口（スライド開口１２）の軸方向と交差する上面が本体部１ｃのスライド開口１２が形成される第１面（ここでは、上面）に対して突出して位置する、又は、スライド部２ｂの上面の反対側の面である下面が本体部１ｃの第１面の反対側の面である第２面（ここでは、下面）に対して突出して位置する。
【００９８】
即ち、端子４ｂが抜け止め部によって保持された状態、及び、端子４ｂの保持が解除された状態のいずれの状態で、スライド部２ｂの一部が突出する。ここで、本体部がカバー部を含まない場合、この端子の保護部材を一見して、端子４ｂが抜け止め部によって保持された状態（ロック状態）であるか若しくは端子４ｂの保持が解除された状態（非ロック状態）であるかを判断することが困難である。
【００９９】
しかしながら、本実施形態では、本体部１ｃが、第１面（ここでは、上面）及び第２面（ここでは、下面）のうちの一方側（ここでは、下面側）にカバー部１９を備える。この場合、カバー部１９側にスライド部２ｂが突出しているか否かを確認し、端子４ｂが抜け止め部によって保持された状態であるか若しくは端子４ｂの保持が解除された状態であるかを容易に判断することができる。
【０１００】
即ち、カバー部１９側にスライド部２ｂが突出しているか否かは、一見して容易に確認可能である。このため、例えば、本実施形態のようにカバー部１９側にスライド部２ｂが突出している状態が、端子４ｂが抜け止め部によって保持された状態である場合、カバー部１９側にスライド部２ｂが突出していれば、端子４ｂが抜け止め部によって保持された状態であると判断でき、カバー部１９側にスライド部２ｂが突出していなければ、端子４ｂの保持が解除された状態であると判断できる。
【０１０１】
また、第２実施形態の変形例として、カバー部が、本体部の上面側に設けられている場合又は本体部の上面側と下面側との両方に設けられている場合も考えられる。
【０１０２】
また、別の例として、カバー部１９が、１つの凹状部分を含む場合又は３つ以上の凹状部分を含む場合等も考えられる。
【０１０３】
＜第３実施形態＞
次に図１５〜１７を参照しつつ、第３実施形態に係る端子の保護部材について説明する。図１５は、本実施形態の端子の保護部材及び端子付き電線４を示す斜視図である。図１６，１７は、本実施形態の端子の保護部材を示す断面図である。図１５〜１７において、図１〜１４に示される構成要素と同じ構成要素には、同じ参照符号が付されている。
【０１０４】
本実施形態において、端子の保護部材の端子の保護部材は、端子の保護部材の本体部１ｄと、スライド部２ｄと、を備える。以下、その構成について説明する。
【０１０５】
第３実施形態では、スライド部２ｄが、キャビティ１１の延在方向及び端子４ｂの厚み方向の両方に直交する端子４ｂの幅方向に沿ってスライド移動可能に構成されている。即ち、ここでは、本体部１ｄの一方の側面である第３面５３から本体部１ｄの他方の側面である第４面５４に向かってスライド開口１２が貫通して形成されている。そして、スライド部２ｄは、スライド開口１２の軸方向（即ち、第３面５３と第４面５４とが対向する方向）に沿ってスライド可能とされている。なお、第３面５３と第４面５４とが対向する方向は、本体部１ｄの上面と下面とが対向する方向と直交する。
【０１０６】
ここでは、端子４ｂは、後述する突起２３ｄと当接する当接部を含む。図１に示されるように、ここでは、その当接部は、箱状に形成され、端子４ｂの底面側からその反対側へ突出している。そして、端子４ｂの幅方向とは、上記当接部の突出方向及び端子４ｂの延在方向との両方に直交する方向である。なお、端子４ｂの幅方向は、本体部１ｄの第３面５３と第４面５４とが対向する方向と一致する方向ともいえる。ちなみに、端子４ｂの厚み方向とは、上記当接部の突出方向と一致し、本体部１ｄの上面と下面とが対向する方向と一致する。
【０１０７】
そして、ここでは、さらに、図１５〜１７に示されるように、端子４ｂが抜け止め部によって保持された状態、及び、端子４ｂの保持が解除された状態の双方の状態において、スライド部２ｄのうち第１開口（スライド開口１２）の軸方向と交差する第１側面５１が本体部１ｄのうちスライド開口１２が形成される第３面５３に対して突出して位置する、又は、スライド部２ｄのうち第１側面５１の反対側の面である第２側面５２が本体部１ｄのうち第３面５３の反対側の面である第４面５４に対して突出して位置する。
【０１０８】
また、スライド開口１２には、第１実施形態と同様、突起１３が形成されている。
【０１０９】
また、本実施形態では、本体部１ｄは、第３面５３に対して突出するスライド部２ｄの第１側面５１の一部、又は、第４面５４に対して突出するスライド部２ｄの第２側面５２の一部、又は、第１側面５１の一部及び第２側面５２の一部の両方を覆うように設けられたカバー部を備える。ちなみに、ここでは、図１５〜１７に示されるように、本体部１ｄが、本体部１ｄの第３面５３に対して突出するスライド部２ｄの第１側面５１の一部を覆うように設けられたカバー部２９を備える場合の事例が示されている。
【０１１０】
ここでは、カバー部２９は、スライド部２ｄの第１側面５１側の一部が配置される凹状の部分を含み、本体部１ｄの第３面５３から第４面５４側に対し反対側に突出して形成された突出部２９１を含む。カバー部２９の突出部２９１の内側には、スライド部２ｄの第１側面５１側の部分が配置される。
【０１１１】
そして、突出部２９１は、スライド部２ｄの第１側面５１の一部を覆う構成とされている。ここでは、図１５に示されるように、スライド部２ｄのロック開口２１に端子付き電線４が挿入される方向における突出部２９１の寸法が、スライド部２ｄのロック開口２１に端子付き電線４が挿入される方向におけるスライド部２ｄの寸法よりも小さい構成とされている。これにより、スライド部２ｄの第１側面５１のうち突出部２９１に覆われない領域が生じる。なお、ここでは、カバー部２９は、２つの突出部２９１を備えている。
【０１１２】
カバー部２９によって生じるメリットは、第２実施形態で説明しているため、ここでは、その説明を省略する。
【０１１３】
次にスライド部２ｄについて説明する。スライド部２ｄには、ロック開口２１が形成されており、スライド部２ｄが本体部１ｄのスライド開口１２に嵌め込まれた状態において、キャビティ１１と繋がって１つの開口を形成する、すなわち、連通状態となることが可能である。
【０１１４】
また、スライド部２ｄには、突起２４が形成されている。第３実施形態においても、突起１３及び突起２４の少なくとも一方は、弾性変形可能であることが考えられる。
【０１１５】
即ち、本実施形態において、図１６に示される状態では、突起２４がそれぞれ対応する突起１３よりも第１側面５１側の側方に位置する。そして、突起２４が突起１３に引っ掛かることによってスライド部２ｄが本体部１ｄに対して、第１側面５１から第２側面５２側に向かう方向にスライドすることが抑制される。なお、スライド部２ｄに対して第１側面５１から第２側面５２側に向かう方向に外力が加えられる場合には、突起１３及び突起２４の少なくとも一方が弾性変形することにより、図１７に示される状態に切り替わることができる。
【０１１６】
図１７に示される状態では、突起２４がそれぞれ対応する突起１３よりも第２側面５２側の側方に位置する。そして、突起２４が突起１３に引っ掛かることによってスライド部２ｄが本体部１ｄに対して、第２側面５２から第１側面５１側に向かう方向にスライドすることが抑制される。なお、スライド部２ｄに対して第２側面５２から第１側面５１側に向かう方向に外力が加えられる場合には、突起１３及び突起２４の少なくとも一方が弾性変形することにより、図１６に示される状態に切り替わることができる。
【０１１７】
なお、ここでは、図１６に示される状態で端子４ｂの抜け止めがなされる。即ち、図１６に示される状態で、スライド部２ｄが、第１位置である。一方、図１７に示される状態で、端子４ｂの抜け止めが解除される。即ち、図１７に示される状態で、スライド部２ｄが、第２位置である。なお、第１位置と第２位置との関係が、上記と逆で合ってもよい。
【０１１８】
そして、本実施形態では、スライド部２ｄに抜け止め部として形成された突起２３ｄが、突起２３と異なる構造とされている。
【０１１９】
ここでは、突起２３ｄは、スライド部２ｄが第３面５３と第４面５４との対向方向に沿ってスライド移動することで、ロック開口２１に挿通された端子４ｂに対し当接する。また、これにより、端子４ｂの位置決めが行われる。
【０１２０】
従って、突起２３ｄは、スライド部２ｄがロック開口２１をキャビティ１１と連通させた状態の第１位置の際に、端子４ｂに対し比較的強く当接する形状であり、かつ、スライド部２ｄが、端子４ｂの抜け止めを解除する第２位置の際に、端子４ｂに当接しない若しくは端子４ｂをキャビティ１１から抜くことが可能な比較的弱い力で当接する形状とされていることが考えられる。
【０１２１】
以下、上記形状の一例について説明する。ここでは、図１６，１７に示されるように、突起２３ｄは、ロック開口２１の軸方向に沿って見て先端に向かうにつれ徐々にその幅が狭まる形状とされている。そして、本体部１ｄの上面と下面とが対向する方向における、キャビティ１１のうち端子４ｂの底面に接触する設置面から突起２３ｄの先端までの寸法が、キャビティ１１の設置面から端子４ｂのうち突起２３ｄと接触する箇所の最も上方の部分までの寸法よりも小さい若しくは同じとなるように構成されている。また、本体部１ｄの上面と下面とが対向する方向における、キャビティ１１のうち端子４ｂの底面に接触する設置面から突起２３ｄの先端以外の部分までの寸法が、キャビティ１１の設置面から端子４ｂのうち突起２３ｄと接触する箇所の最も上方の部分までの上記方向における寸法よりも大きくなるように構成されている。
【０１２２】
上記の場合、スライド部２ｄが第１位置の際（即ち、図１６に示される状態では）、突起２３ｄの先端が端子４ｂに比較的強く接触する。このため、突起２３ｄによって端子４ｂの位置決めが行われる。
【０１２３】
一方、スライド部２ｄが第２位置の際（即ち、図１７に示される状態では）、突起２３ｄの先端が端子４ｂから外れ、突起２３ｄと端子４ｂとが接触しない若しくは接触したとしても端子４ｂの位置決めに寄与しない程の弱い力で当接する。このため、端子４ｂを、キャビティ１１から抜くことが可能となる。
【０１２４】
第３実施形態でも、第１実施形態と同様、端子付き電線４の端子４ｂを適切に保護することができる。
【０１２５】
また、本実施形態では、端子４ｂの幅方向に沿ってスライド部２ｄがスライド移動可能に構成されている。この場合、本体部１ｄの下面（例えば、作業台等に設置される面）側にスライド部２ｄが突出することを抑制できる。この場合、本体部１ｄと作業台等との設置面にがたつきが生じることを抑制できる。
【０１２６】
また、本実施形態では、スライド部２ｄが、本体部１ｄの第３面５３と第４面５４とが対向する方向に沿ってスライド移動するため、突起２３ｄの形状をより簡単な構成とすることができる。即ち、例えば、抜け止め部を、先鋭な突起２３ｄとすることで、突起２３のような根元側が撓む等の複雑な構成となることを抑制できる。
【０１２７】
また、本実施形態では、突起２３ｄの先端が端子４ｂから外れることで端子４ｂの抜け止めが解除されるため、スライド部２ｄのスライド移動量を小さくすることが可能である。即ち、本体部１ｄからのスライド部２ｄの突出量を小さくすることができる。
【０１２８】
なお、第３実施形態の別の例として、突起２３ｄが、端子４ｂの当接部と引っ掛かり可能な、第１実施形態の突起２３に置き換えられてもよい。
【０１２９】
＜変形例＞
次に図１８を参照しつつ、第３実施形態の変形例について説明する。図１８は、第３実施形態の変形例に係る端子の保護部材の断面図である。本例では、端子の保護部材は、本体部１ｅとスライド部２ｅとを含む。
【０１３０】
本体部１ｅは、第３実施形態に比べ、カバー部２９が省略された構成とされている。
【０１３１】
そして、本例では、端子４ｂが抜け止め部によって保持された状態、及び、端子４ｂの保持が解除された状態のいずれか一方の状態において、本体部１ｅの第１開口（スライド開口１２）が形成される第３面５３とスライド部２ｅのうちスライド開口１２の軸方向と交差する第１側面５１とが同一平面上に位置し、かつ、本体部１ｅの第３面５３の反対側の面である第４面５４とスライド部２ｅのうち第１側面５１の反対側の面である第２側面５２とが同一平面上に位置している。なお、図１８に示される例は、端子４ｂが抜け止め部によって保持された状態で、本体部１ｅのスライド開口１２が形成される第３面５３とスライド部２ｅのうちスライド開口１２の軸方向と交差する第１側面５１とが同一平面上に位置し、かつ、本体部１ｅの第３面５３の反対側の面である第４面５４とスライド部２ｅのうち第１側面５１の反対側の面である第２側面５２とが同一平面上に位置している場合の事例である。
【０１３２】
なお、別の例として、端子４ｂの保持が解除された状態で、本体部１ｅのスライド開口１２が形成される第３面５３とスライド部２ｅのうちスライド開口１２の軸方向と交差する第１側面５１とが同一平面上に位置し、かつ、本体部１ｅの第３面５３の反対側の面である第４面５４とスライド部２ｅのうち第１側面５１の反対側の面である第２側面５２とが同一平面上に位置している場合も考えられる。
【０１３３】
上記実施形態では、各構成要素の材質、材料、寸法、形状、相対的配置関係又は実施の条件などについても記載している場合があるが、これらはすべての局面において例示であって、本明細書に記載されたものに限られることはない。よって、例示されていない無数の変形例が、本技術の範囲内において想定される。例えば、任意の構成要素を変形する場合、追加する場合又は省略する場合が含まれる。
【０１３４】
また、矛盾が生じない限り、上記各実施形態において「１つ」備えられるものとして記載された構成要素は、「１つ以上」備えられていてもよい。さらに、各構成要素は概念的な単位であって、１つの構成要素が複数の構造物から成る場合及び１つの構成要素がある構造物の一部に対応する場合を含む。また、各構成要素には、同一の機能を発揮する限り、他の構造又は形状を有する構造物が含まれる。
【０１３５】
また、上記の各実施形態同士を自由に組み合わせること、或いは各実施形態を適宜、変形する又は一部を省略することによって構成されることも可能である。
【０１３６】
また、本明細書における説明は、本技術のすべての目的のために参照され、いずれも、従来技術であると認めるものではない。
【符号の説明】
【０１３７】
１，１ａ，１ｂ，１ｄ，１ｅ  本体部
２，２ａ，２ｂ，２ｄ，２ｅ  スライド部
４  端子付き電線
４ａ  電線
４ｂ  端子
１１  キャビティ
１２  スライド開口
１２ａ，１２ｂ，１２ｃ，４１  凹部
１３，２３，２３ｄ，２４  突起
２１  ロック開口
２２ａ，２２ｂ  凸部
【図１】
2016127014.tif 000003
【図２】
2016127014.tif 000004
【図３】
2016127014.tif 000005
【図４】
2016127014.tif 000006
【図５】
2016127014.tif 000007
【図６】
2016127014.tif 000008
【図７】
2016127014.tif 000009
【図８】
2016127014.tif 000010
【図９】
2016127014.tif 000011
【図１０】
2016127014.tif 000012
【図１１】
2016127014.tif 000013
【図１２】
2016127014.tif 000014
【図１３】
2016127014.tif 000015
【図１４】
2016127014.tif 000016
【図１５】
2016127014.tif 000017
【図１６】
2016127014.tif 000018
【図１７】
2016127014.tif 000019
【図１８】
2016127014.tif 000020